(57)【特許請求の範囲】
【請求項１】
ワイヤレスユーザ装置を動作する方法において、
ＬＴＥによりワイヤレスユーザ装置がサービングセルと通信するチャンネルの受信信号強度指示子（ＲＳＳＩ）、基準信号受信電力（ＲＳＲＰ）、及び信号対干渉及び雑音比（ＳＩＮＲ）を測定し、
前記サービングセルのセル利用度を前記測定されたＲＳＲＰ及びＳＩＮＲに少なくとも一部分基づいて計算し、及び
前記サービングセルの最大利用可能スループットを前記計算されたセル利用度に少なくとも一部分基づいて計算する、
ことを含む方法。
【請求項２】
ワイヤレスユーザ装置の現在リソースブロック利用度を前記計算されたセル利用度から減算することにより前記サービングセルのセル負荷を計算することを更に含み、前記サービングセルの最大利用可能スループットの計算は、前記計算されたセル負荷に少なくとも一部分基づくものである、請求項１に記載の方法。
【請求項３】
前記測定されたＲＳＳＩ、ＲＳＲＰ及びＳＩＮＲを時間フィルタリングすることを更に含み、前記サービングセルのセル利用度の計算は、前記時間フィルタリングされたＲＳＲＰ及びＳＩＮＲに基づくものである、請求項１に記載の方法。
【請求項４】
前記セル利用度の計算及び前記サービングセルの最大利用可能スループットの計算は、所定の周期的インターバルで遂行される、請求項１に記載の方法。
【請求項５】
前記セル利用度の計算及び前記サービングセルの最大利用可能スループットの計算は、非周期的イベントに応答して遂行される、請求項１に記載の方法。
【請求項６】
前記サービングセルの最大利用可能スループットの計算は、更に、ＳＩＮＲ及びチャンネルクオリティ指示子（ＣＱＩ）情報をトランスポートブロックサイズ（ＴＢＳ）テーブルと比較することに基づく、請求項１に記載の方法。
【請求項７】
ワイヤレスユーザ装置は、パイロットサブキャリアごとに５つのデータサブキャリアが与えられるＬＴＥ通信システムに基づいて前記サービングセルと通信し、ワイヤレスユーザ装置の単一アンテナポートにおいてＲＳＲＰが計算され、基準信号対データ信号電力比は、ＬＴＥ通信システムに基づいて１であり、前記測定されたＲＳＲＰ及びＳＩＮＲに少なくとも一部分基づいて前記サービングセルのセル利用度を計算することは、次の式を使用して、合計セル利用度を解くことを含み、
0006001102.tif 000008
但し、Ｎは、ワイヤレスユーザ装置に割り当てられたリソースブロックの数を表わし、ＰSは、基準信号電力を表わし、ＰDは、データ信号電力を表わすもので、半リソースブロックごとに計算され、ＰIは、干渉信号電力を表わすもので、半リソースブロックごとに計算され、αは、合計セル利用度を表わすもので、ＬＴＥ通信システムに基づきＰD／５ＰSに等しく、及びγは、ＳＩＮＲを表わすもので、ＬＴＥ通信システムに基づき６ＰS／ＰIに等しい、請求項１に記載の方法。
【請求項８】
ワイヤレス通信のために構成された１つ以上のアンテナを含む無線と、
前記無線に作動的に結合された処理要素と、
を備え、前記無線及び処理要素は、
セルラー通信技術に基づいて複数の物理的レイヤメトリックを測定し、
ワイヤレスユーザ装置のサービングセルにおける負荷を推定するための指示を受け取り、
前記サービングセルにおける負荷を推定するための指示に基づいて所定の時間周期にわたり複数の物理的レイヤメトリックをフィルタリングし、
前記フィルタリングされた複数の物理的レイヤメトリックに少なくとも一部分基づいてサービングセルの時間平均化された合計セル利用度を推定し、及び
ワイヤレスユーザ装置による時間平均化されたサービングセルリソース利用度をサービングセルの前記時間平均化された合計セル利用度から減算して、ワイヤレスユーザ装置によるサービングセルリソース利用度を除くサービングセルの時間平均化されたセル負荷を推定する、
ように構成された、ワイヤレスユーザ装置。
【請求項９】
前記無線及び処理要素は、更に、ワイヤレスユーザ装置によるサービングセルリソース利用度を除くサービングセルの前記推定された時間平均化されたセル負荷に少なくとも一部分基づいてサービングセルの最大利用可能スループットを推定する、ように構成される、請求項８に記載のワイヤレスユーザ装置。
【請求項１０】
前記サービングセルの最大利用可能スループットを推定するために、前記無線及び処理要素は、更に、ワイヤレスユーザ装置に対するチャンネルクオリティ指示子情報をセルラー通信技術に基づくトランスポートブロックサイズテーブルと比較して、サービングセルの前記推定された最大利用可能スループットを決定する、ように構成される、請求項９に記載のワイヤレスユーザ装置。
【請求項１１】
前記ワイヤレスユーザ装置のサービングセルにおける負荷を推定するための指示は、周期的負荷推定タイマーの時間切れを含む、請求項８に記載のワイヤレスユーザ装置。
【請求項１２】
前記複数の物理的レイヤメトリックは、
受信信号強度指示子（ＲＳＳＩ）、
基準信号受信電力（ＲＳＲＰ）、及び
信号対干渉及び雑音比（ＳＩＮＲ）、
を含む、請求項８に記載のワイヤレスユーザ装置。
【請求項１３】
前記セルラー通信技術は、ＬＴＥである、請求項８に記載のワイヤレスユーザ装置。
【請求項１４】
ワイヤレスユーザ装置で実行されたとき、そのワイヤレスユーザ装置が、ＬＴＥセルラーネットワークにおけるワイヤレスユーザ装置のサービングセルの負荷を推定する方法を実施するようにさせるプログラムインストラクションを含む非一時的コンピュータアクセス可能なメモリ媒体において、前記方法は、
ワイヤレスユーザ装置がサービングセルと通信するところのチャンネルの複数の物理的レイヤメトリックを測定し、
前記測定された物理的レイヤメトリックに基づいてサービングセルの合計セル利用度を推定し、及び
前記推定された合計セル利用度に少なくとも一部分基づいてサービングセルの最大利用可能スループットを推定する、
ことを含むものである、メモリ媒体。
【請求項１５】
前記測定された物理的レイヤメトリックに基づいてサービングセルの合計セル利用度を推定することは、合計受信電力、基準信号受信電力、及びワイヤレスユーザ装置に割り当てられたリソースブロックの数を、ワイヤレスユーザ装置構成に基づき且つＬＴＥセルラーシステムのパラメータに従って、合計セル利用度及び信号対干渉及び雑音比に関係付ける式を使用して、合計セル利用度を解く、ことを含む、請求項１４に記載のメモリ媒体。
【請求項１６】
プログラムインストラクションを実行する結果として具現化される前記方法は、更に、周期的な負荷推定タイマーを維持することを更に含み、前記周期的な負荷推定タイマーが時間切れすると、サービングセルの合計セル利用度の推定及びサービングセルの最大利用可能スループットの推定を開始するトリガーが与えられる、請求項１４に記載のメモリ媒体。
【請求項１７】
プログラムインストラクションを実行する結果として具現化される前記方法は、更に、ワイヤレスユーザ装置によるセル利用度をサービングセルの合計セル利用度から除去することを含めて、ワイヤレスユーザ装置以外のサービングセルの負荷を推定することを含み、前記サービングセルの最大利用可能スループットの推定は、ワイヤレスユーザ装置以外のサービングセルの前記推定された負荷に少なくとも一部分基づくものである、請求項１４に記載のメモリ媒体。
【請求項１８】
プログラムインストラクションを実行する結果として具現化される前記方法は、更に、複数の物理的レイヤメトリックの時間的フィルタリングを遂行することを含み、前記サービングセルの合計セル利用度の推定は、前記時間的にフィルタリングされた物理的レイヤメトリックに基づくものである、請求項１４に記載のメモリ媒体。
【請求項１９】
前記サービングセルの最大利用可能スループットの推定は、更に、ＬＴＥセルラーネットワークにより使用されるトランスポートブロックサイズテーブルと組み合わせてワイヤレスユーザ装置のチャンネルクオリティ指示子情報を使用してワイヤレスユーザ装置により観察されるチャンネル状態に基づきワイヤレスユーザ装置の最大予想するープットを識別することに少なくとも一部分基づくものである、請求項１４に記載のメモリ媒体。
【請求項２０】
前記複数の物理的レイヤメトリックは、次のもの、即ち、
受信信号強度指示子（ＲＳＳＩ）、
基準信号受信電力（ＲＳＲＰ）、
基準信号受信クオリティ（ＲＳＲＱ）、及び
信号対干渉及び雑音比（ＳＩＮＲ）、
の２つ以上を含む、請求項１４に記載のメモリ媒体。
【発明の詳細な説明】
【技術分野】
【０００１】
本発明は、ワイヤレス通信の分野に関するもので、より特定すれば、ワイヤレスユーザ装置（ＵＥ）がセルラーネットワークのセルの負荷を推定するためのシステム及び方法に関する。
【背景技術】
【０００２】
ワイヤレス通信システムは、その利用が急速に成長している。更に、ワイヤレス通信技術は、音声のみの通信から、インターネット及びマルチメディアコンテンツのようなデータの送信も含むように進化した。多数の異なるワイヤレス通信技術及び規格が存在する。ワイヤレス通信規格の幾つかの例は、ＧＳＭ（登録商標）、ＵＭＴＳ（ＷＣＤＭＡ（登録商標））、ＬＴＥ、ＬＴＥ−アドバンスト（ＬＴＥ−Ａ）、３ＧＰＰ２、ＣＤＭＡ２０００（例えば、１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）、Ｂｌｕｅｔｏｏｔｈ（登録商標）、等を含む。これら規格のあるものは、相補的な機能を与えるが、他のものは、典型的に、消費者の中で同様のニーズを満足するように試みて競合すると考えられる。
【０００３】
特に、セルラーネットワークは、一般的に、多数のベーストランシーバステーション、スイッチ、ルータを典型的に含む種々のネットワークインフラストラクチャーコンポーネント、並びに種々の他のネットワークインフラストラクチャーコンポーネントによって設けられる。それにより得られるネットワークは、そのネットワークにより包囲されたサービステリトリー内にいるそのネットワークの加入者にセルラー通信サービスを提供することができる。種々の時間に、異なる数の加入者が、そのようなサービステリトリーの異なる部分においてサービスを利用し、異なる（局部的及び全体的）ネットワーク「負荷」を累算的に表わす。多くのネットワークでは、厳しいネットワーク負荷が生じる（例えば、多数の加入者間にリソースが分配される）時間及び位置では加入者当たり比較的少量のネットワークリソースしか利用できないが、軽いネットワーク負荷が生じる（例えば、リソースに対して競争が少ない）時間及び位置では加入者当たり比較的多量のネットワークリソースが利用できるように、ネットワークリソースが加入者に動的に割り当てられる。
【発明の概要】
【発明が解決しようとする課題】
【０００４】
従って、ネットワーク負荷は、ネットワークの加入者の性能（例えば、スループット、サービスクオリティ、バッテリ性能）の顕著なファクタである。しかしながら、現在のところ、セルラーネットワークのインフラストラクチャーの負荷に関する高クオリティ情報は、それらネットワークのオペレータ（即ち、セルラーキャリア）にしか利用できない。ネットワークと契約するセルラー装置は、それ自体、ネットワーク負荷を識別も推定もしないか、又はネットワークオペレータによってそのような情報が与えられる。従って、これらの装置は、その性能に著しく影響する情報を使用することができない。そこで、ワイヤレス通信の改善が望まれる。
【課題を解決するための手段】
【０００５】
とりわけ、ワイヤレスユーザ装置（ＵＥ）がセルラーネットワークの負荷を推定し、特に、ＵＥのサービングセルの利用度を推定する方法、及びその方法を実施するように構成された装置の実施形態についてここに説明する。
【０００６】
無線アクセス技術によりＵＥがサービングセルと通信するところの通信媒体の幾つかの物理的レイヤ特性をＵＥが測定し、そしてそれらの測定に基づき、ＵＥのサービングセルのチャンネル又は帯域の推定利用度を計算する技術について説明する。ＵＥのサービングセルの推定利用度を計算することで、ＵＥは、次いで、サービングセルによりどれほど大きな帯域巾又はスループットがＵＥに利用できるか計算又は推定することができる。そのような情報は、ＵＥにより、種々の仕方で使用され、例えば、バッテリ寿命、スループット、サービスクオリティ、及び／又は種々の他の動作特性を改善するように種々の動作に関する判断を通知するように使用される。
【０００７】
１つの例として、ＵＥで実行されるアプリケーションであって、受け容れられるユーザ経験を与えるためにあるレベルのスループットを要求するようなアプリケーションについて考える。ＵＥとサービングセルとの間の通信媒体として現在使用されている現在サービングセルの合計利用度の推定に基づいて、現在サービングセルが所要レベルのスループットを発揮できないとＵＥが決定できる（例えば、ここに述べる技術を使用して）場合には、ＵＥは、アプリケーションに対して現在サービングセルを利用するよう試みるために代替手段を追求することができる。そのような代替手段は、種々の可能性の中で、異なるサービングセルを再選択し（例えば、同じ無線アクセス技術又は異なる無線アクセス技術を使用して）及び／又は異なる帯域に付加的なキャリアを追加し、異なるワイヤレス通信技術を使用し（ＵＥとサービングセルとの間に使用されているワイヤレス通信技術に加えて又はそれとは別に）、或いはアプリケーションを停止し／現在その目的のために充分なスループットが利用できないとの指示をアプリケーションに与える、ことを含む。
【０００８】
ここに述べる技術は、これに限定されないが、セルラー電話、ポータブルメディアプレーヤ、タブレットコンピュータ、ウェアラブル装置、及び種々の他のコンピューティング装置を含む多数の異なるタイプの装置で実施でき及び／又はそれらの装置と共に使用できることに注意されたい。
【０００９】
この概要は、ここに述べる要旨の幾つかを概略的に示すものである。従って、上述した特徴は、単なる例示に過ぎず、ここに述べる要旨の範囲又は精神を何ら限定するものではない。ここに述べる要旨の他の特徴、態様及び効果は、以下の詳細な説明、添付図面及び特許請求の範囲から明らかとなるであろう。
【００１０】
本発明の実施形態の以下の詳細な説明を添付図面と共に考慮したときに、本発明の要旨を良く理解することができるであろう。
【図面の簡単な説明】
【００１１】
【図１】規範的なワイヤレス通信システムを示す。
【図２】規範的なユーザ装置と通信する規範的なベースステーションを示す。
【図３】ユーザ装置の規範的なブロック図である。
【図４】ベースステーションの規範的なブロック図である。
【図５】ユーザ装置によりサービングセルの負荷及び最大利用可能スループットを推定する規範的な方法を示すフローチャートである。
【図６】ユーザ装置の規範的なＰＨＹアーキテクチャーを示す。
【図７】考えられる１つの規範的なＬＴＥシステムの観点を示す図である。
【発明を実施するための形態】
【００１２】
ここに述べる特徴は種々の変更や代替的形態を受け易いが、その特定の実施形態を添付図面に一例として示して、以下に詳細に説明する。しかしながら、添付図面及びそれに対する詳細な説明は、本発明をここに開示する特定の形態に限定するものではなく、逆に、特許請求の範囲により規定された要旨の精神及び範囲に入る全ての変更、等効物及び代替物を網羅することを意図していると理解されたい。
【００１３】
用語
本開示で使用される用語集は、次の通りである。
メモリ媒体：種々のタイプの非一時的メモリ装置又はストレージ装置のいずれか。「メモリ媒体」という用語は、インストール媒体、例えば、ＣＤ−ＲＯＭ、フロッピー（登録商標）ディスク又はテープ装置；コンピュータシステムメモリ又はランダムアクセスメモリ、例えば、ＤＲＡＭ、ＤＤＲ  ＲＡＭ、ＳＲＡＭ、ＥＤＯ  ＲＡＭ、Ｒａｍｂｕｓ  ＲＡＭ、等；不揮発性メモリ、例えば、フラッシュ、磁気媒体、例えば、ハードドライブ又は光学的ストレージ；レジスタ又は他の同様のタイプのメモリ要素、等を含むことが意図される。メモリ媒体は、他のタイプの非一時的メモリ、及びその組み合わせを含む。加えて、メモリ媒体は、プログラムが実行される第１のコンピュータシステムに配置されるか、又はインターネットのようなネットワークを経て第１のコンピュータシステムに接続される第２の異なるコンピュータシステムに配置される。後者の場合には、第２のコンピュータシステムは、プログラムインストラクションを、実行のために第１のコンピュータに与える。「メモリ媒体」という用語は、異なる位置、例えば、ネットワークを経て接続された異なるコンピュータシステム、に存在する２つ以上のメモリ媒体を含む。メモリ媒体は、１つ以上のプロセッサにより実行されるプログラムインストラクション（例えば、コンピュータプログラムとして実施される）を記憶する。
【００１４】
キャリア媒体：上述したメモリ媒体、並びに物理的な送信媒体、例えば、電気、磁気又はデジタル信号のような信号を搬送するバス、ネットワーク、及び／又は他の物理的送信媒体。
【００１５】
プログラム可能なハードウェア要素：プログラム可能な相互接続部を経て接続された複数のプログラム可能な機能ブロックより成る種々のハードウェア装置を含む。例えば、ＦＰＧＡ（フィールドプログラマブルゲートアレイ）、ＰＬＤ（プログラマブルロジック装置）、ＦＰＯＡ（フィールドプログラマブルオブジェクトアレイ）、及びＣＰＬＤ（コンプレックスＰＬＤ）を含む。プログラム可能な機能ブロックは、微細粒度（コンビナトリアルロジック又はルックアップテーブル）から粗い粒度（演算論理ユニット又はプロセッサコア）までの範囲である。プログラム可能なハードウェア要素は、「再構成可能なロジック」とも称される。
【００１６】
コンピュータシステム：パーソナルコンピュータシステム（ＰＣ）、メインフレームコンピュータシステム、ワークステーション、ネットワーク機器、インターネット機器、パーソナルデジタルアシスタント（ＰＤＡ）、パーソナル通信装置、スマートホン、テレビジョンシステム、グリッドコンピューティングシステム、或いは他の装置又は装置の組み合わせを含む種々のタイプのコンピューティング又は処理システムのいずれか。一般的に、「コンピュータシステム」という用語は、メモリ媒体からのインストラクションを実行する少なくとも１つのプロセッサを有する装置（又は装置の組み合わせ）を包含するように広く定義される。
【００１７】
ユーザ装置（ＵＥ）（又は「ＵＥ装置」）：移動又はポータブルであり且つワイヤレス通信を実行する種々のタイプのコンピュータシステム装置のいずれか。ＵＥ装置は、例えば、移動電話又はスマートホン（例えば、ｉＰｈｏｎｅTM、ＡｎｄｒｏｉｄTM−ベースの電話）、ポータブルゲーム機（例えば、ＮｉｎｔｅｎｄｏＤＳTM、ＰｌａｙＳｔａｔｉｏｎ  ＰｏｒｔａｂｌｅTM、Ｇａｍｅｂｏｙ  ＡｄｖａｎｃｅTM、ｉＰｈｏｎｅTM）、ラップトップ、ＰＤＡ、ポータブルインターネット装置、音楽プレーヤ、データストレージ装置、又は他のハンドヘルド装置、等を含む。一般的に、「ＵＥ」又は「ＵＥ装置」という用語は、ユーザにより容易に持ち運びされ且つワイヤレス通信することのできる電子、コンピューティング及び／又はテレコミュニケーション装置（又は装置の組み合わせ）を包含するように広く定義される。
【００１８】
ベースステーション：「ベースステーション」という用語は、全範囲の通常の意味を有するもので、少なくとも、固定位置にインストールされて、ワイヤレス電話システム又は無線システムの一部分として通信するのに使用されるワイヤレス通信ステーションを包含する。
【００１９】
処理要素：種々の要素又は要素の組み合わせを指す。処理要素は、例えば、ＡＳＩＣ（特定用途向け集積回路）のような回路、個々のプロセッサコアの部分又は回路、全プロセッサコア、個々のプロセッサ、フィールドプログラマブルゲートアレイ（ＦＰＧＡ）のようなプログラム可能なハードウェア装置、及び／又は複数のプロセッサを含むシステムの大きな部分を含む。
【００２０】
チャンネル：送信者（送信器）から受信器へ情報を搬送するのに使用される媒体。「チャンネル」という用語の特徴は、異なるワイヤレスプロトコルに基づいて相違するので、ここで使用する「チャンネル」という用語は、その用語を使用して参照する装置タイプの規格に一致するように使用されると考えられることに注意されたい。ある規格では、チャンネルの巾が可変である（例えば、装置の能力、帯域条件、等に基づいて）。例えば、ＬＴＥは、１．４ＭＨｚから２０ＭＨｚの拡張可能なチャンネル帯域巾をサポートする。対照的に、ＷＬＡＮチャンネルは、２２ＭＨｚ巾であり、一方、Ｂｌｕｅｔｏｏｔｈ（登録商標）チャンネルは、１ＭＨｚ巾である。他のプロトコル及び規格は、チャンネルの異なる定義を含む。更に、ある規格は、複数のタイプのチャンネル、例えば、アップリンク又はダウンリンクのための異なるチャンネル、及び／又はデータ、コントロール情報、等の異なる使用に対する異なるチャンネル、を定義しそして使用する。
【００２１】
帯域：「帯域」という用語は、全範囲の通常の意味を有するもので、少なくとも、チャンネルを同じ目的で使用するか又は取っておくところのスペクトル（例えば、高周波スペクトル）の区分を含む。種々の無認可の工業−科学−医療（ＩＳＭ）周波数帯域は、１組の帯域例を表わす。テレコミュニケーションオペレータに対して（例えば、１つ以上のセルラー通信技術に関連して使用するために）認可された種々の帯域は、別の１組の帯域例を表わす。
【００２２】
自動的：アクション又は動作を直接明示し又は遂行するユーザ入力なしに、コンピュータシステム（例えば、コンピュータシステムにより実行されるソフトウェア）或いは装置（例えば、回路、プログラム可能なハードウェア要素、ＡＳＩＣ、等）により遂行されるアクション又は動作を指す。従って、「自動的」という用語は、ユーザが動作を直接遂行するための入力を与えるように、ユーザにより動作が手動で遂行され又は明示されるのとは対照的である。自動的な手順は、ユーザにより与えられた入力によって開始されるが、「自動的に」遂行されるその後のアクションは、ユーザによって明示されず、即ちユーザが遂行すべき各アクションを明示して「手動」で遂行されるのではない。例えば、各フィールドを選択しそして入力明示情報を与える（例えば、情報をタイプし、チェックボックスを選択し、無線を選択し、等により）ことにより電子的フォームを埋めるユーザは、コンピュータシステムがユーザのアクションに応答してフォームを更新しなくてはならなくても、フォームを手動で埋める。フォームは、コンピュータシステムにより自動的に埋められてもよく、この場合、コンピュータシステム（例えば、コンピュータシステムで実行されるソフトウェア）は、フォームのフィールドを分析し、そしてフィールドへの返答を明示するユーザ入力なしにフォームを埋める。上述したように、ユーザは、フォームを自動的に埋めることを求めるが、フォームを実際に埋めることには関与しない（例えば、ユーザは、フィールドへの返答を手動で明示せず、それは、自動的に完成される）。本明細書は、ユーザがとったアクションに応答して自動的に遂行される動作の種々の例について述べる。
【００２３】
図１−２：通信システム
図１は、規範的な（及び簡単化された）ワイヤレス通信システムを示す。図１のシステムは、考えられるシステムの一例に過ぎず、その実施形態は、必要に応じて、種々のシステムのいずれにおいても具現化できることに注意されたい。
【００２４】
図示されたように、規範的なワイヤレス通信システムは、ベースステーション１０２Ａ、１０２Ｂ、・・・１０２Ｎを備え、これらは、送信媒体を経て、１つ以上のユーザ装置１０６Ａ、１０６Ｂ、・・・１０６Ｎと通信する。各ユーザ装置は、ここでは、「ユーザ装置（ＵＥ）」と称される。従って、ユーザ装置は、ＵＥ又はＵＥ装置と称される。
【００２５】
ベースステーション１０２Ａ−１０２Ｎは、ベーストランシーバステーション（ＢＴＳ）又はセルサイトであり、そしてユーザ装置１０６Ａ−１０６Ｎとワイヤレス通信できるようにするハードウェアを含む。ベースステーション１０２は、ネットワーク１００（例えば、種々の可能性の中でも、セルラーサービスプロバイダーのコアネットワーク、公衆交換電話ネットワーク（ＰＳＴＮ）のようなテレコミュニケーションネットワーク、及び／又はインターネット）と通信するようにも装備される。従って、ベースステーション１０２は、ユーザ装置間、及び／又はユーザ装置とネットワーク１００との間の通信を容易にする。
【００２６】
ベースステーション１０２及びユーザ装置１０６は、ワイヤレス通信技術とも称される種々の無線アクセス技術（ＲＡＴ）、或いはＧＳＭ（登録商標）、ＵＭＴＳ（ＷＣＤＭＡ（登録商標））、ＬＴＥ、ＬＴＥ−アドバンスト（ＬＴＥ−Ａ）、３ＧＰＰ２  ＣＤＭＡ２０００（例えば、１ｘＲＴＴ、１ｘＥＶ−ＤＯ、ＨＲＰＤ、ｅＨＲＰＤ）、Ｗｉ−Ｆｉ、ＷｉＭＡＸ、等のテレコミュニケーション規格を使用して、送信媒体を経て通信するように構成される。
【００２７】
又、ＵＥ１０６は、複数のワイヤレス通信規格を使用して通信できることにも注意されたい。例えば、ＵＥ１０６は、３ＧＰＰセルラー通信規格（例えば、ＬＴＥ）又は３ＧＰＰ２セルラー通信規格（例えば、セルラー通信規格のＣＤＭＡ２０００ファミリーにおけるセルラー通信規格）のいずれか又は両方を使用して通信するように構成される。又、ＵＥ１０６は、それに加えて又はそれとは別に、ＷＬＡＮ、Ｂｌｕｅｔｏｏｔｈ（登録商標）、１つ以上のグローバルなナビゲーション衛星システム（ＧＮＳＳ、例えば、ＧＰＳ又はＧＬＯＮＡＳＳ）、１つ及び／又はそれ以上の移動テレビ放送規格（例えば、ＡＴＳＣ−Ｍ／Ｈ又はＤＶＢ−Ｈ）、等を使用して通信するように構成される。ワイヤレス通信規格の他の組み合わせ（３つ以上のワイヤレス通信規格を含む）も考えられる。
【００２８】
従って、同じ又は異なるセルラー通信規格に基づき動作するベースステーション１０２Ａ−１０２Ｎ及び他の同様のベースステーションは、１つ以上のセルラー通信規格を経て広い地理的エリアにわたりＵＥ１０６及び同様の装置に連続的又はほぼ連続的な重畳するサービスを提供するセルの１つ以上のネットワークとして設けられる。
【００２９】
ＵＥ１０６Ａ−１０６Ｎは、ベースステーション１０２Ａ−１０２Ｎの幾つかが異なるＲＡＴに基づいて動作するとしても、おそらく、ベースステーション１０２Ａ−１０２Ｎのいずれかと通信することができる。例えば、ＵＥ１０６Ａは、その「サービング」ベースステーションとしてベースステーション１０２Ａと通信し、そしてベースステーション１０２Ｂ及び１０２Ｎ（及びおそらく他の近傍のベースステーション）からの信号を監視して、例えば、ＵＥ１０６Ａに考えられる最良のサービスが提供されるよう保証することもできる。ベースステーション１０２Ｎがベースステーション１０２Ａより良好なサービスを提供することが決定された場合には、ＵＥは、ベースステーション１０２Ａにより形成されるセルから、ベースステーション１０２Ｎにより形成されるセルへの「ハンドオーバー」を遂行して、ベースステーション１０２ＮがＵＥ１０６Ａのためのサービングベースステーションとなるようにする。ベースステーション１０２Ｎが、ベースステーション１０２Ａとは異なるＲＡＴに基づいて動作する場合には、ハンドオーバーが無線アクセス技術間（ｉＲＡＴ）ハンドオーバーとなる。
【００３０】
又、必要に応じて、幾つか又は全部のベースステーションが複数の無線アクセス技術に基づいて動作できることにも注意されたい。例えば、ベースステーションは、所与の時間に複数の無線アクセス技術のいずれか１つに基づいて動作する（例えば、サービスを提供する）ように構成されるか、又は同時に複数の無線アクセス技術に基づいて動作するように構成される。別の可能性として、異なるＲＡＴに基づいて動作する複数のベースステーションが同じ場所にあってもよく、換言すれば、複数のＲＡＴの各々に従ってセルを形成する装置が互いに接近して配置されて、形成されたセルが実質的に又は完全に重畳するようにしてもよい。
【００３１】
図２は、ベースステーション１０２（例えば、ベースステーション１０２Ａ−１０２Ｎの１つ）と通信するユーザ装置１０６（例えば、ユーザ装置１０６Ａ−１０６Ｎの１つ）を示す。ＵＥ１０６は、ワイヤレスネットワーク接続性をもつ装置、例えば、移動電話、ハンドヘルド装置、コンピュータ又はタブレット、或いは実質上、任意のタイプのワイヤレス装置である。
【００３２】
ＵＥ１０６は、メモリに記憶されたプログラムインストラクションを実行するように構成されたプロセッサを備えている。ＵＥ１０６は、そのような記憶されたインストラクションを実行することにより、ここに述べる方法実施形態のいずれかを遂行する。それとは別に又はそれに加えて、ＵＥ１０６は、ここに述べる方法実施形態のいずれか、又はここに述べる方法実施形態のいずれかの一部分を遂行するように構成されたＦＰＧＡ（フィールドプログラマブルゲートアレイ）のようなプログラマブルハードウェア要素を備えている。
【００３３】
ＵＥ１０６は、複数のワイヤレス通信プロトコルのいずれかを使用して通信するように構成される。例えば、ＵＥ１０６は、ＧＳＭ（登録商標）、ＵＭＴＳ、ＣＤＭＡ２０００、ＬＴＥ、ＬＴＥ−Ａ、ＷＬＡＮ、又はＧＮＳＳの２つ以上を使用して通信するように構成される。ワイヤレス通信規格の他の組み合わせも考えられる。
【００３４】
ＵＥ１０６は、１つ以上のワイヤレス通信プロトコルを使用して通信するための１つ以上のアンテナを備えている。ＵＥ１０６は、複数のワイヤレス通信規格間で受信及び／又は送信チェーンの１つ以上の部分を共有する。その共有無線は、単一アンテナを備えてもよいし、又はワイヤレス通信を遂行するための複数のアンテナ（例えば、ＭＩＭＯ用の）を備えてもよい。或いは又、ＵＥ１０６は、通信のために構成を行う各ワイヤレス通信プロトコルに対する個別の送信及び／又は受信チェーン（例えば、個別のアンテナ及び他の無線コンポーネントを含む）を備えている。更に別の可能性として、ＵＥ１０６は、複数のワイヤレス通信プロトコル間に共有された１つ以上の無線と、単一のワイヤレス通信プロトコルにより排他的に使用される１つ以上の無線とを備えている。例えば、ＵＥ１０６は、ＬＴＥ、ＵＭＴＳ又はＧＳＭ（登録商標）のいずれかを使用して通信するための共有無線と、Ｗｉ−Ｆｉ及びＢｌｕｅｔｏｏｔｈ（登録商標）の各々を使用して通信するための個別の無線とを備えている。更に別の可能性として、ＵＥは、例えば、キャリアアグリゲーション（例えば、ＬＴＥで）及び／又は二重キャリアＨＳＰＡ（ＤＣ−ＨＳＰＡ）を実施するために単一のワイヤレス通信プロトコル（又は複数のワイヤレス通信プロトコルのいずれか）に基づいて動作することのできる複数の受信及び／又は送信ＲＦチェーンを備えている。他の構成も考えられる。
【００３５】
図３：ＵＥの規範的ブロック図
図３は、ＵＥ１０６の規範的なブロック図である。図示されたように、ＵＥ１０６は、種々の目的のための部分を含むシステムオンチップ（ＳＯＣ）３００を備えている。例えば、図示されたように、ＳＯＣ３００は、ＵＥ１０６のためのプログラムインストラクションを実行するプロセッサ３０２と、グラフィック処理を遂行しそしてディスプレイ３４５に表示信号を与えるディスプレイ回路３０４とを備えている。プロセッサ３０２は、メモリマネージメントユニット（ＭＭＵ）３４０にも結合され、このユニットは、プロセッサ３０２からアドレスを受け取り、そしてそのアドレスをメモリ（例えば、メモリ３０６、リードオンリメモリ（ＲＯＭ）３５０、ＮＡＮＤフラッシュメモリ３１０）内の位置、及び／又は他の回路又は装置、例えば、ディスプレイ回路３０４、無線３３０、コネクタＩＦ３２０、及び／又はディスプレイ３４５へ変換するように構成される。ＭＭＵ３４０は、メモリ保護及びページテーブル変換又はセットアップを遂行するように構成される。ある実施形態では、ＭＭＵ３４０は、プロセッサ３０２の一部分として含まれる。
【００３６】
図示されたように、ＳＯＣ３００は、ＵＥ１０６の種々の他の回路に結合される。例えば、ＵＥ１０６は、種々のタイプのメモリ（例えば、ＮＡＮＤフラッシュ３１０を含む）、コネクタインターフェイス３２０（例えば、コンピュータシステム、ドック、充電ステーション、等へ結合するための）、ディスプレイ３４５、及び（例えば、ＵＭＴＳ、ＬＴＥ、ＬＴＥ−Ａ、ＣＤＭＡ２０００、Ｂｌｕｅｔｏｏｔｈ（登録商標）、Ｗｉ−Ｆｉ、ＧＰＳ、等のための）無線(radio)とも称されるワイヤレス通信回路３３０を備えている。
【００３７】
ＵＥ装置１０６は、ベースステーション及び／又は他の装置とのワイヤレス通信を遂行するための少なくとも１つのアンテナ及びおそらくは複数のアンテナを備えている。例えば、ＵＥ装置１０６は、アンテナ３３５を使用して、ワイヤレス通信を遂行する。上述したように、ＵＥは、複数のワイヤレス通信規格を使用してワイヤレス通信するように構成される。
【００３８】
又、ＵＥ１０６は、１つ以上のユーザインターフェイス要素を備え、及び／又はそれを使用するように構成される。ユーザインターフェイス要素は、種々の要素のいずれか、例えば、ディスプレイ３４５（タッチスクリーンディスプレイ）、キーボード（個別のキーボードでもよいし、タッチスクリーンディスプレイの一部分として実施されてもよい）、マウス、マイクロホン及び／又はスピーカ、１つ以上のカメラ、１つ以上のボタン、及び／又はユーザに情報を与え及び／又はユーザ入力を受け取り／解釈することのできる種々の他の要素のいずれかを含む。
【００３９】
以下で更に述べるように、ＵＥ１０６は、特に、図５を参照して述べるようなＵＥ１０６のサービングセルの負荷を推定する特徴を具現化するハードウェア及びソフトウェアコンポーネントを備えている。ＵＥ装置１０６のプロセッサ３０２は、例えば、メモリ媒体（例えば、非一時的コンピュータ読み取り可能なメモリ媒体）に記憶されたプログラムインストラクションを実行することにより、ここに述べる方法の一部又は全部を実施するように構成される。他の実施形態では、プロセッサ３０２は、ＦＰＧＡ（フィールドプログラマブルゲートアレイ）又はＡＳＩＣ（特定用途向け集積回路）のようなプログラム可能なハードウェア要素として構成される。それとは別に（又はそれに加えて）、ＵＥ装置１０６のプロセッサ３０２は、他のコンポーネント３００、３０４、３０６、３１０、３２０、３３０、３３５、３４０、３４５、３５０の１つ以上に関連して、特に、図５を参照してここに述べる特徴のような特徴の一部又は全部を実施するように構成される。
【００４０】
図４：ベースステーションの規範的ブロック図
図４は、ベースステーション（ＢＳ）１０２の規範的ブロック図である。図４のベースステーションは、考えられるベースステーションの一例に過ぎないことに注意されたい。図示されたように、ベースステーション１０２は、ベースステーション１０２のためのプログラムインストラクションを実行するプロセッサ４０４を備えている。プロセッサ１０２は、メモリマネージメントユニット（ＭＭＵ）４４０にも結合され、このユニットは、プロセッサ１０２からアドレスを受け取り、そしてそのアドレスをメモリ（例えば、メモリ４６０及びリードオンリメモリ（ＲＯＭ）４５０）内の位置或いは他の回路又は装置へ変換するように構成される。
【００４１】
ベースステーション１０２は、少なくとも１つのネットワークポート４７０を備えている。ネットワークポート４７０は、電話ネットワークに結合され、そしてＵＥ装置１０６のような複数の装置に、図１及び２を参照して上述した電話ネットワークへのアクセスを与えるように構成される。
【００４２】
それに加えて又はそれとは別に、ネットワークポート４７０（又は付加的なネットワークポート）は、セルラーネットワーク、例えば、セルラーサービスプロバイダーのコアネットワークに結合されるように構成される。コアネットワークは、移動関連サービス及び／又は他のサービスを、ＵＥ装置１０６のような複数の装置に提供する。あるケースでは、ネットワークポート４７０は、コアネットワークを経て電話ネットワークに結合され、及び／又はコアネットワークは、（例えば、セルラーサービスプロバイダーによりサービスされる他のＵＥ装置間に）電話ネットワークを形成する。
【００４３】
ベースステーション１０２は、少なくとも１つのアンテナ４３４、及びおそらくは複数のアンテナを備えている。少なくとも１つのアンテナ４３４は、ワイヤレストランシーバーとして動作するように構成されると共に、無線４３０を経てＵＥ装置１０６と通信するように更に構成される。アンテナ４３４は、通信チェーン４３２を経て無線４３０と通信する。通信チェーン４３２は、受信チェーン、送信チェーン又はその両方である。無線４３０は、これに限定されないが、ＬＴＥ、ＬＴＥ−Ａ、ＵＭＴＳ、ＣＤＭＡ２０００、Ｗｉ−Ｆｉ、等を含む種々のワイヤレステレコミュニケーション規格を経て通信するように構成される。
【００４４】
ベースステーション１０２は、ＵＥ１０６によるセル負荷／利用度推定をサポートするようにＵＥ１０６と通信するように構成される。特に、以下で更に述べるように、ＢＳ１０２は、ＵＥがサービングセルの負荷／利用度を推定する方法の一部又は全部を実施するための（又はＵＥ１０６の実施に関連して使用するための）ハードウェア及びソフトウェアコンポーネントを備えている。
【００４５】
ベースステーション１０２のプロセッサ４０４は、例えば、メモリ媒体（例えば、非一時的コンピュータ読み取り可能なメモリ媒体）に記憶されたプログラムインストラクションを実行することにより、ここに述べる方法の一部又は全部を実施するように構成される。或いは又、プロセッサ４０４は、ＦＰＧＡ（フィールドプログラマブルゲートアレイ）又はＡＳＩＣ（特定用途向け集積回路）又はその組み合わせのようなプログラム可能なハードウェア要素として構成される。
【００４６】
図５：負荷推定のフローチャート
図５は、ワイヤレスユーザ装置（ＵＥ）（例えば、図１−３に示して説明したＵＥ１０６）がセルラーネットワークにおけるＵＥのサービングセルの利用度及び負荷を推定し、そしてサービングセルからＵＥに利用できる最大スループットを推定する方法を示すフローチャートである。セルラーネットワークは、種々の可能性の中で、ＵＭＴＳ又はＬＴＥのような３ＧＰＰ規格、或いはＣＤＭＡ２０００のような３ＧＰＰ２規格を含む種々の無線アクセス技術のいずれかに基づいて動作する。
【００４７】
５０２において、ＵＥ１０６は、サービングセルに関する１つ以上の物理的レイヤメトリックを測定する。物理的レイヤメトリックは、ＵＥ１０６がサービングセルと通信するチャンネルに対応し、種々のメトリックのいずれかを含む。ある場合には、物理的レイヤメトリックは、チャンネルの合計受信電力（例えば、受信信号強度指示子又はＲＳＳＩ）、基準信号電力（例えば、基準信号受信電力又はＲＳＲＰ）、基準信号クオリティ（例えば、基準信号受信クオリティ又はＲＳＲＱ）、信号対干渉比（ＳＩＲ）、信号対雑音比（ＳＮＲ）、及び／又は信号対干渉及び雑音比（ＳＩＮＲ）のようなメトリックを含む。
【００４８】
５０４において、ＵＥ１０６は、サービングセルのセル利用度を推定する。ここで使用する「セル利用度」又は「合計セル利用度」とは、（もし該当すれば）ＵＥ１０６を含めて、セルによってサービスされる全ての装置によるセルリソース（例えば、リソースブロック）の合計利用度を指す。換言すれば、セル利用度とは、現在割り当てられている合計セルリソースの割合を表わす。例えば、セルが合計５０のリソースブロックを有し、そのリソースブロックの４０が現在割り当てられている場合には、セル利用度は、４０／５０、即ち０．８となる。これらの値は、一例に過ぎず、異なる数の合計セルリソースブロック、割り当てセルリソースブロック、及びセル利用比も考えられることを認識されたい。
【００４９】
セル利用度推定は、測定された物理的レイヤメトリックに基づいて行われる。より詳細には、セル利用度推定は、サービングセルの合計セル利用度を解くために、測定された物理的レイヤメトリックを、ＵＥ１０６がサービングセルと通信するところの無線アクセス技術のパラメータに基づき且つＵＥ１０６の構成に基づいて合計セル利用度に関係付ける式を使用する。一例として、この式は、合計受信電力及び基準信号受信電力を、合計セル利用度並びに信号対干渉及び雑音比に関係付けるものである。考えられる式の更なる例を、図７を参照して以下に詳細に述べる。
【００５０】
少なくとも幾つかの例において、セル利用度推定に使用される物理的レイヤメトリックは、ある（例えば、所定の）時間ウインドウにわたり時間フィルタリングされる（即ち、時間的なフィルタリングを受ける）ことに注意されたい。例えば、ＵＥ１０６の種々の目的で瞬時測定情報を与えるためにＵＥ１０６の通常の動作中に望ましい物理的レイヤメトリックが（ある具現化に基づいて）周期的に測定されるか又は比較的頻繁にサンプリングされる間に、長期間（例えば、各メトリックに対して複数の測定が行われる期間）にわたり平均化又はフィルタリングされる物理的レイヤメトリックの値がセル利用度推定に使用される。又、フィルタリングが行われる場合には、（少なくともある場合には）フィルタリングウインドウを、セル利用度推定に使用すべき全ての物理的レイヤメトリックに対して同一にするのが望ましい（例えば、一貫性のある且つ意味のある結果のために）ことにも注意されたい。使用する時間ウインドウは、例えば、セル利用度推定の平滑化／平均化の望ましい程度に基づいて種々のウインドウのいずれでもよい。ある規範的な時間ウインドウ値は、４０ｍｓ、５０ｍｓ、１００ｍｓ、１５０ｍｓ、及び／又は他の任意の値を含む。更に、例えば、異なる時間に、及び／又は得られるセル利用度推定（及び／又はそれに基づき発生／推定される値）の異なる使用に対して異なるフィルタリングウインドウが望まれることを考慮するため、必要に応じて、平滑化／フィルタリングウインドウを動的に調整できることに注意されたい。
【００５１】
合計セル利用度が推定されると、ＵＥ１０６は、その推定された合計セル利用度に少なくとも一部分基づきサービングセルのセル負荷を推定する。ここで使用する「セル負荷」とは、セル負荷を推定しているＵＥ１０６を除き（即ち、それを除外して）、セルによりサービスされている全ての装置によるセルリソース（例えば、リソースブロック）の合計利用度を指す。換言すれば、セル負荷（ＵＥ１０６の観点からの）は、ＵＥ１０６以外の装置に現在割り当てられている合計セルリソースの割合を表わす。
【００５２】
サービングセルのセル負荷の推定は、ＵＥ１０６のリソース利用比を合計セル利用度から減算することを含む。例えば、上述した例を続けると、セルが５０の合計リソースブロックを有し、セル利用度が０．８であり、そして２つのリソースブロックが現在ＵＥ１０６に割り当てられている場合には、セル負荷は、０．８−（２／５０）＝０．７６となる。これらの値は例示に過ぎず、異なる数の合計セルリソースブロック、割り当てセルリソースブロック、セル利用比及びセル負荷比も考えられることを認識されたい。時間平均化の時間ウインドウ中にサービングセルによりＵＥ１０６にいずれのリソースも割り当てられない場合には、セル負荷がセル利用度に等しいことに注意されたい。
【００５３】
時間フィルタリングされた物理的レイヤメトリックを使用してセル利用度が推定される場合には、例えば、一貫した及び意味のある結果を与えるために、サービングセルのセル負荷を推定するのに使用されるＵＥ１０６のリソース利用比も、同様に／同じフィルタリングウインドウを使用して時間フィルタリングされることに注意されたい。
【００５４】
推定セル負荷を使用して、ＵＥ１０６は、サービングセルからＵＥ１０６に利用できると予想されるリソースブロックの最大数を決定することができる。例えば、（前記例と同様に）サービングセルが０．７６のセル負荷及び５０の合計リソースブロックを有する場合には、ＵＥ１０６は、ＵＥ１０６に利用できるリソースブロックは１２（即ち、（１−０．７６）＊５０）までであると推定する。
【００５５】
５０６において、サービングセルの最大利用可能スループットが、推定セル利用度及び／又はセル負荷に少なくとも一部分基づき推定される。サービングセルからＵＥ１０６に利用できると予想されるリソースブロックの最大数は、ＵＥ１０６に利用できる最大利用可能スループットの１つの観点を形成するが、利用可能スループットは、それらリソースブロックに基づいて使用される変調及びコード化スキーム（ＭＣＳ）にも依存する。
【００５６】
例えば、ＬＴＥにおいて、ＵＥ１０６は、ＵＥ１０６がサービングセルと通信するところのチャンネルに対してチャンネルクオリティ指示子（ＣＱＩ）情報を（例えば、ＳＩＮＲ及び／又は種々の他の測定に基づいて）周期的に（又は非周期的に）発生し、そしてそのような情報を含むＣＱＩレポートを、サービングセルを形成するベースステーションに送信する。ベースステーションは、次いで、ＣＱＩレポートにおいて受け取ったＣＱＩインデックスを、ＵＥ１０６との通信に使用されるＭＣＳへマップする。
【００５７】
ＣＱＩとＭＣＳとの間のマッピングは、少なくともある場合にはＵＥ１０６により予想可能であり且つ知られている。従って、ＵＥ１０６は、予想されるＭＣＳを推定することができる。そのような予想されるＭＣＳが決定されると、ＵＥ１０６は、この情報を、サービングセルからＵＥ１０６に利用できると予想されるリソースブロックの最大数と組み合わせて使用して、ＵＥ１０６の考えられる最大トランスポートブロックサイズを計算し（例えば、ＬＴＥにより、ＴＳ  ３６．２１３、セクション７．１．７のトランスポートブロックサイズテーブルを使用して）、これは、サービングセルの最大の（例えば、フィルタリングの場合には考えられる長期の）予想される利用可能スループットの比較的正確な推定値として働く。
【００５８】
セル利用度、セル負荷及び／又は最大利用可能スループット推定値の取得は、トリガーに応答して行われることに注意されたい。トリガーは、周期的でもよいし、非周期的でもよい。例えば、１つの可能性として、ＵＥ１０６は、周期的な負荷推定タイマーを維持する。タイマーが時間切れすると、ＵＥ１０６は、サービングセルの負荷推定（例えば、利用度推定を含む）及びおそらく最大利用可能スループット推定も行うようにトリガーされる。別の可能性として、ＵＥ１０６の物理的レイヤ負荷推定機能ブロックは、負荷推定トリガーをイベントベースで受け取ることができる。イベントベースのトリガーは、物理的レイヤの別のブロックから、又はアプリケーションレイヤのような別のレイヤから受け取られる。例えば、アプリケーションレイヤのアプリケーション（例えば、メディアストリーミングアプリケーション）は、アプリケーションに対して充分なスループットが利用できるかどうか決定するために負荷推定を行う（従って、トリガーを与える）ことを要求する（又は特定のメディアストリームを確立するといった、アプリケーションにより行われるアクション）。
【００５９】
従って、ＵＥ１０６は、（少なくともある場合には）ＵＥ１０６によって既に測定されている物理的レイヤメトリックを使用してセルの負荷を比較的正確に推定することができる。これは、ＵＥ１０６が、アプリケーションプロフィール及び性能要求（例えば、スループット、サービスクオリティ、バッテリ）に基づいてその動作に対して種々の最適化を遂行できるようにする（例えば、より正確な性能予想に基づいて）。例えば、ネットワーク依存のあるアプリケーション（例えば、ビデオチャットアプリケーション）は、セルの負荷の推定が与えられると、セルの負荷に基づいて性能を改善するようにそのスケジューリング又は他の振舞いを変更する。
【００６０】
更に、サービングセルのセル負荷及び最大利用可能スループットを推定する能力をＵＥ１０６に与えることで、ＵＥ１０６によるネットワーク接続関連判断実行がサポートされ、例えば、ＵＥ１０６は、ネットワーキング（例えば、スループット）ニーズ／要求をサービングセルにより満足することが合理的に予想できるかどうか決定し、そしてもしそうでなければ、異なるサービングセルを再選択し、二次コンポーネントキャリアを追加し（即ち、キャリアアグリゲーションを使用して付加的なスループットを与え）、異なるワイヤレス通信技術（例えば、Ｗｉ−Ｆｉ及び／又は異なるセルラー通信技術）を使用して、別の又は付加的なネットワーク接続を与え、１つ以上のネットワーキング要求（例えば、受け容れられるユーザ経験を与えるに充分なスループットが利用できないアプリケーションからの）を拒絶又は遅延し、或いは種々の他のネットワーク接続マネージメント関連アクションのいずれかを遂行すべきかどうか、の決定を容易に行うことができる。
【００６１】
図６：規範的なＰＨＹアーキテクチャー
図６は、図５の方法が実施されるＵＥ１０６の考えられるＰＨＹアーキテクチャーの一例を示す。図６及びその説明は、１つの考えられるＰＨＹレイヤアーキテクチャーの一例として述べるもので、全体的にその開示に限定されるものではないことに注意されたい。以下に述べる細部に対する多数の代替物及びその変更が本開示の範囲内で考えられる。
【００６２】
図示されたように、ＵＥ１０６は、複数のアンテナ及びＲＦフロントエンド（受信チェーン）を備えている。受信チェーンを経て受け取られる信号は、記号復調器へ送られ、次いで、デコーダへ送られ、そこから、デコードされたデータが上位レイヤへ送られる。
【００６３】
信号デコーディングに加えて、信号において種々の点から種々の測定がなされる。例えば、図示されたように、１つのアンテナポートからそのアンテナポートに対するＲＦフロントエンドを通過した後にＲＳＲＰ及びＲＳＲＱ測定（ある場合にはＲＳＳＩ測定を含む）が行われる。別のアンテナポートからそのアンテナポートに対するＲＦフロントエンドを通過した後にＦＴＬ  ＳＩＮＲ及びＲＳ  ＳＩＮＲが得られる。更に、記号復調が行われた後に、後検出ＳＩＮＲが得られる（おそらくＲＳＲＰ及びＲＳＲＱ測定がなされたものと同じアンテナポートから）。
【００６４】
負荷推定モジュールは、ＲＳＲＰ／ＲＳＲＱ測定モジュール及び後検出ＳＩＮＲモジュール、及び／又はＦＴＬ  ＳＩＮＲ及びＲＳ  ＳＩＮＲモジュール（例えば、利用性に基づく）に結合されてそこから入力を受け取る。トリガー（例えば、上述したようなイベントベース又は周期／タイマーベースのトリガー）を受け取ると、負荷推定モジュールは、サービングセルの負荷推定を実行し、そしておそらく、図５を参照して上述したように、サービングセルの最大利用可能スループットを推定する。負荷推定モジュールは、そのような計算の結果を、必要に応じて、別のＰＨＹレイヤモジュール及び／又は別のレイヤ（図示せず）に与える。
【００６５】
図７：規範的なＬＴＥシステム及びセル利用度式
図７は、図５の方法を実施するＵＥ１０６を動作する１つの考えられる規範的なＬＴＥシステムの観点を示す。図７及びその説明は、１つの考えられるセルラーシステムの一例として述べるもので、全体的にその開示に限定されるものではないことに注意されたい。以下に述べる細部に対する多数の代替物及びその変更が本開示の範囲内で考えられる。
【００６６】
図７のシステムでは、ＵＥ１０６に対するサービングセル及び多数の隣接セルの各々がＵＥ１０６の通信範囲内にある。各セルは、基準（パイロット）サブキャリア及びデータサブキャリアを与え、図７のシステムによれば、基準サブキャリアごとに５つのデータサブキャリアが設けられる。
【００６７】
そのようなシステムにおいてＵＥ１０６により受信される信号は、それらの構成成分によって考えられる。特に、図７に示すように、サービングセルにより与えられる基準信号に関連した信号電力は、ＰSと称され、一方、サービングセルにより与えられるデータ信号に関連した信号電力は、ＰDと称され、（隣接セルからの信号のような）干渉信号に関連した信号電力は、ＰIと称される。
【００６８】
概念的に、図７に示すシステムでは、サービングセルのパイロットサブキャリアごとに５つのデータサブキャリアがあるので、Ｐａ／Ｐｂ（基準信号対データ信号の電力上昇を表わす）が１に等しいとの仮定のもとで、全セル利用度(“α”)が次のように表わされることが明らかである。
0006001102.tif 000002
【００６９】
同様に、図７に示すシステムでは、信号対干渉及び雑音比(“γ”)が次のように表わされる。
0006001102.tif 000003
というのは、サービングセルのパイロットサブキャリアごとに６つの干渉サブキャリアがあるからである。Ｐａ／Ｐｂが１に等しくない場合には、α及びγは、Ｐａ／Ｐｂ比に基づいて適当な倍率係数を使用するが同様に公式化される。
【００７０】
３ＧＰＰ仕様書に基づいて定義されたように、物理的レイヤメトリックＲＳＲＱ、ＲＳＲＰ及びＲＳＳＩは、次のように関連している。
0006001102.tif 000004
或いは同様に、
0006001102.tif 000005
【００７１】
前記枠組みが与えられると、ＲＳＲＰが２つのアンテナポートの一方のアンテナポートのみに基づき計算される（即ち、１つのリソースブロックが周波数ドメインにおいて１２のサブキャリアで形成される場合には、半リソースブロックごとに）という仮定のもとで、且つＳＩＮＲ及びＲＳＲＰが同じウインドウを使用してフィルタリングされると仮定して、前記式は、次のように再公式化される。
0006001102.tif 000006
【００７２】
この式の結果の精度は、ＳＩＮＲ及びＲＳＲＰ／ＲＳＲＱの推定精度に依存することに注意されたい。従って、必要に応じて、推定エラーを修正するために前記式に修正係数が追加される。この推定エラーは、ＳＩＮＲに依存する（即ち、その関数である）。例えば、推定エラーは、ＳＩＮＲ値が低いほど、大きくなる。というのは、そのように低いＳＩＮＲ値では、高い推定精度を達成するのが益々困難になるからである。従って、そのような修正係数を含む前記式の変更形態は、次のように公式化される。
0006001102.tif 000007
但し、β＝ｆ(ＳＩＮＲ)＞０である。
【００７３】
ＲＳＲＰが複数のアンテナポートに基づいて計算される場合には、同様の式が使用されるが、使用するＲＳＲＰ測定技術を考慮するために倍率係数が導入されることに注意されたい。
【００７４】
従って、前記式によれば、ＵＥ１０６は、サービングセルに対して得られる（例えば、最近測定されておそらくフィルタリングされた）ＲＳＳＩ、ＲＳＲＰ及びＳＩＮＲ値と、ＵＥ１０６のリソースブロック割り当ての知識とを使用して、αを解くことができる。
【００７５】
本開示の実施形態は、種々のフォーマットのいずれかで実現できる。例えば、ある実施形態は、コンピュータ実施方法、コンピュータ読み取り可能なメモリ媒体又はコンピュータシステムとして実現される。他の実施形態は、ＡＳＩＣのような１つ以上のカスタム設計のハードウェア装置を使用して実現される。又、更に別の実施形態は、ＦＰＧＡのような１つ以上のプログラム可能なハードウェア要素を使用して実現される。
【００７６】
ある実施形態では、非一時的なコンピュータ読み取り可能なメモリ媒体は、プログラムインストラクション及び／又はデータを記憶するように構成され、プログラムインストラクションは、コンピュータシステムにより実行された場合に、コンピュータシステムが、方法、例えば、ここに述べる方法実施形態のいずれか、又はここに述べる方法実施形態の任意の組み合わせ、或いはここに述べる方法実施形態のいずれかのサブセット、又はそのようなサブセットの任意の組み合わせ遂行するようにさせる。
【００７７】
ある実施形態では、コンピュータシステムは、プロセッサ（又はプロセッサのセット）及びメモリ媒体を含むように構成され、メモリ媒体は、プログラムインストラクションを記憶し、プロセッサは、メモリ媒体からプログラムインストラクションを読み取って実行するように構成され、プログラムインストラクションは、ここに述べる種々の方法実施形態のいずれか（又はここに述べる方法実施形態の任意の組み合わせ、或いはここに述べる方法実施形態のいずれかのサブセット、又はそのようなサブセットの組み合わせ）を実施するように実行される。コンピュータシステムは、種々の形態のいずれかで実施される。例えば、コンピュータシステムは、パーソナルコンピュータ（種々の実現のいずれか）、ワークステーション、カード上のコンピュータ、ボックス内の特定用途向けコンピュータ、サーバーコンピュータ、クライアントコンピュータ、ハンドヘルド装置、ユーザ装置（ＵＥ）、タブレットコンピュータ、ウェアラブルコンピュータ、等である。
【００７８】
以上、本発明の実施形態を非常に詳細に説明したが、当業者であれば、前記開示が充分に理解されれば、多数の変更や修正が明らかとなろう。特許請求の範囲は、そのような全ての変更や修正を包含すると解釈される。
【符号の説明】
【００７９】
１００：ネットワーク
１０２：ベースステーション
１０６：ユーザ装置（ＵＥ）
３００：システムオンチップ（ＳＯＣ）
３０２：プロセッサ
３０４：ディスプレイ回路
３０６：メモリ
３１０：ＮＡＮＤフラッシュ
３２０：コネクタＩ／Ｆ
３３０：無線
３３５：アンテナ
３４０：メモリマネージメントユニット（ＭＭＵ）
３４５：ディスプレイ
３５０：リードオンリメモリ（ＲＯＭ）
４０４：プロセッサ
４３０：無線
４３２：通信チェーン
４３４：アンテナ
４４０：メモリマネージメントユニット（ＭＭＵ）
４５０：リードオンリメモリ（ＲＯＭ）
４６０：メモリ
４７０：ネットワークポート
【図１】
0006001102.tif 000009
【図２】
0006001102.tif 000010
【図３】
0006001102.tif 000011
【図４】
0006001102.tif 000012
【図５】
0006001102.tif 000013
【図６】
0006001102.tif 000014
【図７】
0006001102.tif 000015